Podtech/llm-jp-corpus-v4-ja_patent huggingface dataset:
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
アポトーシスを検出する方法であって、以下の工程：
細胞を除去した試料を調製する工程；及び
前記試料中の少なくとも１つのヌクレオリン及びPARP-1を検出する工程；
を含む方法。
【請求項２】
前記試料が、血液、血清、血漿、組織、組織培養基又は喀痰である、請求項１記載の方法。
【請求項３】
前記検出工程が膜破壊を含む、請求項１記載の方法。
【請求項４】
前記検出工程がヌクレオリン検出工程であり、かつ、該ヌクレオリン検出工程がヌクレオリン結合性分子−ヌクレオリン複合体を検出することを含む、請求項１記載の方法。
【請求項５】
前記ヌクレオリン結合性分子が抗-ヌクレオリン抗体を含む、請求項４記載の方法。
【請求項６】
前記抗体が、p7-1A4、sc-8031、sc-9893、sc-9892、4E2及び3G4B2抗体から成る群より選択される、請求項５記載の方法。
【請求項７】
前記ヌクレオリン結合性分子がグアノシン-リッチオリゴヌクレオチドを含む、請求項６の方法。
【請求項８】
前記グアノシン-リッチオリゴヌクレオチドが配列番号:１〜７；９〜17；19〜30又は31のヌクレオチド配列を有するオリゴヌクレオチドを含む、請求項７記載の方法。
【請求項９】
前記グアノシン-リッチオリゴヌクレオチドが配列番号:１、10、25〜30又は31のヌクレオチド配列を有するオリゴヌクレオチドを含む、請求項８記載の方法。
【請求項１０】
前記検出工程がPARP-1検出工程であり、かつ、該PARP-1検出工程がPARP-1結合性分子−PARP-1複合体を検出することを含む、請求項１記載の方法。
【請求項１１】
前記PARP-1結合性分子が抗-PARP-1抗体を含む、請求項１０記載の方法。
【請求項１２】
前記抗体が、sc-1562、sc-8007、sc-1561、sc-1561-Y及びsc-7150抗体から成る群より選択される、請求項１１記載の方法。
【請求項１３】
被験者内の過剰なアポトーシスを検出する方法であって、以下の工程：
細胞を除去した血液試料を調製する工程；及び
前記試料中の少なくとも１つのヌクレオリン及びPARP-1を検出する工程；
を含む方法。
【請求項１４】
前記被験者が、後天性免疫不全症候群、神経変性病、虚血性損傷、自己免疫疾患、腫瘍、癌、ウイルス感染症、急性炎症状態及び敗血症から成る群より選択される病気を有する疑いがある、請求項１３記載の方法。
【請求項１５】
前記被験者が癌を有する疑いがある、請求項１３記載の方法。
【請求項１６】
前記癌が、子宮頚管内腺癌、前立腺癌、乳癌、白血病及び非小細胞肺癌から成る群より選択される、請求項１５記載の方法。
【請求項１７】
アポトーシス体を検出するためのキットであって、以下の成分：
ヌクレオリン若しくはPARP-1のどちらかに結合する抗体、又はヌクレオリンに結合するグアノシン-リッチオリゴヌクレオチドを含む試薬；及び
試料から細胞を除去する手段；
を含むキット。
【請求項１８】
前記手段がフィルターを含む、請求項１７記載のキット。
【請求項１９】
前記手段が、さらに注射器を含む、請求項１８記載のキット。
【請求項２０】
前記キットが、さらに注射器を含む、請求項１７記載のキット。
【請求項２１】
さらに、抗-凝固薬を含む請求項１７記載のキット。
【請求項２２】
さらに、膜を破壊するための試薬を含む請求項１７記載のキット。
【請求項２３】
前記試薬が、p7-1A4、sc-8031、sc-9893、sc-9892、4E2及び3G4B2抗体から成る群より選択される抗体を含む、請求項１７記載のキット。
【請求項２４】
前記試薬が、sc-1562、sc-8007、sc-1561、sc-1561-Y及びsc-7150抗体から成る群より選択される抗体を含む、請求項１７記載のキット。
【請求項２５】
前記試薬が配列番号:１〜７；９〜17；19〜30又は31の配列を含むグアノシン-リッチオリゴヌクレオチドを含む、請求項１７記載のキット。
【請求項２６】
前記試薬が配列番号:１〜７；９〜17；19〜30又は31の配列を含むグアノシン-リッチオリゴヌクレオチドを含む、請求項２５記載のキット。
【請求項２７】
前記試薬が配列番号:１、10、25〜30又は31の配列を含むグアノシン-リッチオリゴヌクレオチドを含む、請求項２６記載のキット。
【請求項２８】
化合物がアポトーシスを誘導するかどうかを決定する方法であって、以下の工程：
前記化合物を細胞と接触させる工程；及び
請求項１の方法でアポトーシスを検出する工程；
を含む方法。
【請求項２９】
前記試料が、血液、血清、血漿、組織、組織培養基又は喀痰である、請求項２８記載の方法。
【請求項３０】
前記検出工程が膜破壊を含む、請求項２８記載の方法。
【請求項３１】
前記検出工程がヌクレオリン検出工程であり、かつ、該ヌクレオリン検出工程がヌクレオリン結合性分子−ヌクレオリン複合体を検出することを含む、請求項２８記載の方法。
【請求項３２】
前記ヌクレオリン結合性分子が抗-ヌクレオリン抗体を含む、請求項３１記載の方法。
【請求項３３】
前記抗体が、p7-1A4、sc-8031、sc-9893、sc-9892、4E2及び3G4B2抗体から成る群より選択される、請求項３２記載の方法。
【請求項３４】
前記ヌクレオリン結合性分子がグアノシン-リッチオリゴヌクレオチドを含む、請求項３１記載の方法。
【請求項３５】
前記グアノシン-リッチオリゴヌクレオチドが配列番号:１〜７；９〜17；19〜30又は31のヌクレオチド配列を有するオリゴヌクレオチドを含む、請求項３４記載の方法。
【請求項３６】
前記グアノシン-リッチオリゴヌクレオチドが配列番号:１、10、25〜30又は31のヌクレオチド配列を有するオリゴヌクレオチドを含む、請求項３５記載の方法。
【請求項３７】
前記検出工程がPARP-1検出工程であり、かつ、該PARP-1検出工程がPARP-1結合性分子−PARP-1複合体を検出することを含む、請求項２８記載の方法。
【請求項３８】
前記PARP-1結合性分子が抗-PARP-1抗体を含む、請求項３７記載の方法。
【請求項３９】
前記抗体が、sc-1562、sc-8007、sc-1561、sc-1561-Y及びsc-7150抗体から成る群より選択される、請求項３８記載の方法。
【請求項４０】
請求項１の方法を含んでなる、細胞培養中のアポトーシスを検出する方法。
【請求項４１】
前記細胞培養をバイオリアクター内で成長させる、請求項４０記載の方法。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
ポリ不飽和脂肪酸(PUFA)の製造方法であって、発酵容器内部の培地中で微生物を培養する工程を含み、それによって発酵の終了に先立つ段階で、
a)炭素源が、前記培地に添加されるより早い速度で、微生物によって消費され、
b)前記炭素源を、１時間当たり≦0.30Ｍ炭素/kg培地の速度で添加し、
c)前記炭素源が、微生物の成長に対して速度制限的であるか、又は前記微生物が脂肪及び/又は脂質を代謝するように制限され、
d)前記炭素源の添加速度が減少されるか、又は前記微生物による前記炭素源の消費速度以下であり、又は
e)発酵の終わり又は前に、前記炭素源を全て使用するか、又は前記培地中の濃度が、約０となり、
f)前記炭素源の添加が停止されるが、発酵を継続させ、及び/又は
g)前記微生物が、それらが、アラキドン酸(ARA)に優先して、１種以上の脂肪又は脂質を代謝又は消費する条件におかれる、
ことを特徴とする方法。
【請求項２】
h)前記段階における、炭素源の濃度が、平均≦10g/kg及び/又は≦0.17M炭素/kg培地であり、
i)前記炭素源が、グルコース、及び/又は
j)前記PUFAが、微生物油に存在する、
請求項１に記載の方法。
【請求項３】
k)第二段階が、発酵終了の15時間から2時間前に、又は発酵始めの10日未満の後に開始する、
請求項１又は２に記載の方法。
【請求項４】
l)（全体の）発酵を、≧22℃及び/又は≦30℃で実施し、
m)前記発酵が、添加油の不存在下で実施され、及び/又は
n)前記発酵が、9日以下で持続される、
請求項１〜３のいずれか１項に記載の方法。
【請求項５】
n)前記PUFAが、アラキドン酸(ARA)を含み、及び/又は
o)前記容器が、10リットル以上の容量を有する、
請求項１〜４のいずれか１項に記載の方法。
【請求項６】
前記微生物が、クサレケカビであり、及び/又は非遺伝的に修飾されている請求項１〜５に記載の方法。
【請求項７】
少なくとも50％のアラキドン酸(ARA)を含み、及び、
a)少なくとも90％のトリグリセリド含有量を有し、
b)2.5以下の過酸化物価(POV)を有し、
c)1.0以下のアニシジン値(AnV)を有し、
d)ヘキサン抽出され、及び/又は
e)5%以下のリン脂質含有量を有する、
ことを特徴とする微生物油。
【請求項８】
f)5%未満のC20及び/又はC24ポリ不飽和脂肪酸(PUFA)、及び/又は
g)5%未満のC22+PUFA、
を有する請求項７に記載の油。
【請求項９】
h)遊離脂肪酸含有量が、≦0.4%、
i)前記トリグリセリド含有量が、少なくとも95%又は98%、及び/又は
j)前記油が、請求項１〜６のいずれかに記載の方法によって調製され得る、
請求項７又は８に記載の油。
【請求項１０】
請求項１〜６のいずれか１項に記載の方法によって入手できる微生物油及び/又は請求項７〜９のいずれか１項に記載の微生物油を含むことを特徴とする組成物。
【請求項１１】
食物（特殊調製粉乳など）、食品、飼料、又は飼料サプリメント、医薬、獣医組成物又は化粧品組成物である請求項１０に記載の組成物。
【手続補正書】
【提出日】平成17年12月16日(2005.12.16)
【手続補正１】
【補正対象書類名】特許請求の範囲
【補正対象項目名】請求項１３
【補正方法】変更
【補正の内容】
【請求項１３】
ａ）コーティングされる表面（６）を含むコーティングされる部分（１、１２、２３）と、
ｂ）内壁の少なくとも一部が前記表面（６）の一部によって画定される可変容積のリザーバ（２）と、
ｃ）前記リザーバ（２）の内側および外側にそれぞれ配置される表面（６）の２つの部分を連結し、その高さ（Ｅ）が付着される層（７）の厚さ（ｅ）の上限を構成する通路（９）と、
ｄ）物品の壁の層または壁を徐々に形成するように、前記表面（６）に関してリザーバ（２）の相対的な移動を生じさせる手段（１２、１３）と、
ｅ）その相対的な移動の間に前記リザーバ（２）の容積を減少させる手段（１０）との要素を備えることを特徴とする、請求項１に記載の方法により操作する中空プラスチック物品（objects）を作成するためのデバイス。
【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】      
【請求項１】  
（Ａ）  グラフト材料と、
（Ｂ）  前記グラフト材料に固定され、そこから伸びるステントと、
前記ステントは、、複数の支柱とそれらの間の曲げ部とから構成され、前記曲げ部が頂部を規定し
（Ｃ）  前記ステントをグラフト材料に固定する、少なくとも２個の離間して配置された固定部と
を有し、
前記固定部は、前記ステントの周囲で、前記グラフト材料を貫通するフレキシブルな糸の巻回を少なくとも１回有し、
前記少なくとも２個の離間して配置された固定部は、前記ステントの頂部の曲げ部と支柱との結合部に配置されている
ことを特徴とする医療装置。
【請求項２】                          
前記固定部は、前記ステントの周囲で、前記グラフト材料を通過するフレキシブルな糸の巻回を２回有する
ことを特徴とする請求項１記載の医療装置。
【請求項３】  
前記少なくとも２個の固定部は、前記糸を結ぶ結び目構造を有する
ことを特徴とする請求項１記載の医療装置。
【請求項４】
前記結び目構造は、少なくとも２個、好ましくは４個の結び目を有する
ことを特徴とする請求項３記載の医療装置。
【請求項５】  
前記結び目構造は、前記グラフト材料の外側に配置されている
ことを特徴とする請求項３記載の医療装置。
【請求項６】
前記フレキシブルな糸は、単繊維縫合材料と撚った縫合材料の少なくとも一方であることを特徴とする請求項１記載の医療装置。
【請求項７】  
前記グラフト材料は、ポリエステルと多孔性ポリテトラフルオロエチレンからなる群から選択された、生物適合性のある織った材料と編んだ材料の少なくとも一方を含む
ことを特徴とする請求項１記載の医療装置。
【請求項８】                          
前記少なくとも２個の固定部の第１と第２の固定部は、前記グラフト材料をそれぞれの支柱の両側に係合させ、前記支柱の上を通る機械縫いの縫い目を有する
ことを特徴とする請求項１記載の医療装置。
【請求項９】  
前記ステントは、自己拡張Ｚステントである
ことを特徴とする請求項１記載の医療装置。
【請求項１０】                          
前記少なくとも２個の固定部の内の第１の固定部は、前記曲げ部の頂部に配置され、
前記少なくとも２個の固定部の内の他の固定部は、前記曲げ部に隣接する支柱上に配置される
ことを特徴とする請求項１記載の医療装置。
【請求項１１】                          
前記固定部は、前記糸の巻回がグラフト材料の同一分を貫通しない程度十分に離間して配置されている
ことを特徴とする請求項１記載の医療装置。
【請求項１２】  
前記少なくとも２個の固定部の離間距離は、０．５ｍｍから２ｍｍの範囲である
ことを特徴とする請求項１記載の医療装置。
【請求項１３】                          
（Ａ）  グラフト材料と、
（Ｂ）  第１支柱と、第２支柱と、それらの間に形成された曲げ部とを有するステントと、
（Ｃ）  前記第１支柱と第２支柱と曲げ部の内の少なくとも１つの周囲で、前記グラフト材料を貫通して巻回される第１固定部と、
（Ｄ）  前記第１支柱と第２支柱と曲げ部の内の少なくとも１つの周囲で、前記グラフト材料を貫通して巻回される第２固定部と、
を有し、
前記第２固定部は、第１固定部から最小スペース離間して配置される
ことを特徴とする医療装置。
【請求項１４】  
前記固定部は、フレキシブルな細長い繊維で形成されている
ことを特徴とする請求項１３記載の医療装置。
【請求項１５】                          
前記第１と第２の固定部は、２回巻回されている
ことを特徴とする請求項１３記載の医療装置。
【請求項１６】  
前記２個の固定部の離間距離は、０．５ｍｍから２ｍｍの範囲である
ことを特徴とする請求項１３記載の医療装置。
【請求項１７】                          
前記ステントは、露出し、グラフト材料から離間して伸びている
ことを特徴とする請求項１３記載の医療装置。
【請求項１８】                  
前記ステントは、複数の支柱と隣接する支柱間の曲げ部とを組み込んだ自己拡張Ｚステントである
ことを特徴とする請求項１３記載の医療装置。
【請求項１９】                          
前記第１と第２の固定部は、前記グラフト材料をそれぞれの支柱の両側に係合させ、前記支柱の上を通る機械縫いの縫い目を有する
ことを特徴とする請求項１３の医療装置。
【請求項２０】  
前記各支柱上に少なくとも５個の縫い目、好ましくは１０個の縫い目を有する
ことを特徴とする請求項１９記載の医療装置。
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
有効剤を保持するための内部を有し、該内部が内面を有するカプセル；前記内部に配置された浸透圧剤；前記カプセルと液体連絡する半透体であって、液体を該半透体に通して前記浸透圧剤まで透過させるための半透体；及び前記カプセルの前記内部内に配置され、前記カプセルの前記内面と可動なシールを画定して、前記浸透圧剤を有効剤から分離する、長さ対総直径比率約１．１：１及びコア直径対全径比率約０．９：１を有するピストン；を含む浸透圧デリバリーシステムであって、前記浸透圧剤が前記ピストンと前記半透体との間に配置され、前記浸透圧剤が、周囲環境から液体を前記半透体に通して吸収して、前記ピストンを移動させて、次には前記カプセルから有効剤をデリバリーさせる浸透圧デリバリーシステム。
【請求項２】
前記ピストンが、前記内面との前記シールを達成するために１つ又は複数のリブを有する、請求項１記載の浸透圧デリバリーシステム。
【請求項３】
前記カプセルが円筒形管を有する、請求項１記載の浸透圧デリバリーシステム。
【請求項４】
前記円筒形管が開口を有し、前記半透体が、前記開口内に配置された半透性プラグを包含する、請求項３記載の浸透圧デリバリーシステム。
【請求項５】
前記浸透圧剤がタブレットを有する、請求項１記載の浸透圧デリバリーシステム。
【請求項６】
長さ対総直径比率約１．１：１及びコア直径対全径比率約０．９：１を有するピストン；浸透圧剤；並びに前記ピストン及び前記浸透圧剤を保持する内部を有するエンクロージャー；を含む浸透圧デリバリーシステムであって、前記ピストンが前記エンクロージャーに対して可動であり、前記エンクロージャーが前記浸透圧剤と液体連絡する半透体を有して、液体を前記半透体に通して、周囲環境から液体を吸収するための前記浸透圧剤まで浸透させて、前記ピストンを移動させる浸透圧デリバリーシステム。
【請求項７】
前記エンクロージャーの前記内部が内面を有し、前記ピストンが前記内面に接触する、請求項６記載の浸透圧デリバリーシステム。
【請求項８】
前記半透体が前記エンクロージャーの前記内部内に配置される、請求項６記載の浸透圧デリバリーシステム。
【請求項９】
前記エンクロージャーが流体不透性である、請求項６記載の浸透圧デリバリーシステム。
【請求項１０】
前記浸透圧剤が前記半透体と前記ピストンとの間に配置される、請求項６記載の浸透圧デリバリーシステム。
【請求項１１】
前記エンクロージャーの前記内部に配置された有効剤をさらに含み、前記ピストンが移動するときに、前記エンクロージャーから前記有効剤がデリバリーされる、請求項６記載の浸透圧デリバリーシステム。
【請求項１２】
前記ピストンが流体不透性である、請求項６記載の浸透圧デリバリーシステム。
【請求項１３】
前記ピストンが、前記エンクロージャーとの可動なシールを達成するために少なくとも１つのリブを有する、請求項６記載の浸透圧デリバリーシステム。
【請求項１４】
前記エンクロージャーの前記内部に配置された有効剤をさらに含み、前記ピストンが、前記有効剤から前記浸透圧剤を分離する可動なシールを画定する、請求項６記載の浸透圧デリバリーシステム。
【請求項１５】
内面を有する管状内部を有するカプセル；前記管状内部内に少なくとも部分的に配置された半透体；前記半透体と前記ピストンとの間に配置された浸透圧剤；前記管状内部ないに配置された有効剤；及び前記管状内部内に配置されたピストン；を含む浸透圧デリバリーシステムであって、前記ピストンが長さ対総直径比率約１．１：１及びコア直径対全径比率約０．９：１を有し、前記ピストンが前記浸透圧剤から前記有効剤を分離し、前記管状内部の前記内面に対して及び前記半透体に対して可動である浸透圧デリバリーシステム。
【請求項１６】
該ピストンが少なくとも１つのリブを有する、請求項１５記載の浸透圧デリバリーシステム。
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
前面と、赤道線上の支持外周部と、光学軸とを有する前部レンズ・エレメントと、
後面と、赤道線上の支持外周部と、前記前部レンズ領域の前記光学軸と実質的に平行な光学軸とを有する後部レンズ・エレメントと、
前記前面の前記赤道線上の支持外周部から前記後面の前記赤道線上の支持外周部に伸びる２つ以上の変形可能な触覚と、
を含むレンズ・アセンブリ。
【請求項２】
前部レンズ・エレメントと触覚との組合せが一体である、請求項１に記載のレンズ・アセンブリ。
【請求項３】
前記アッセンブリが一体である、請求項１に記載のレンズ・アセンブリ。
【請求項４】
３０ジオプトリーより大きい光学的変化を有する、請求項１に記載のレンズ・アセンブリ。
【請求項５】
少なくとも１つの凹レンズ面を有する、請求項１に記載のレンズ・アセンブリ。
【請求項６】
前記前面および後面に被覆が施されている、請求項１に記載のレンズ・アセンブリ。
【請求項７】
前記アセンブリが３個の触覚を有する、請求項１に記載のレンズ・アセンブリ。
【請求項８】
前記アセンブリは無水化可能なものである、請求項１に記載のレンズ・アセンブリ。
【請求項９】
比較的硬い視部と、比較的ソフトな赤道線上の支持外周部とを有する、請求項１に記載のレンズ・アセンブリ。
【請求項１０】
前記アッセンブリは注入可能である、請求項１に記載のレンズ・アセンブリ。
【請求項１１】
少なくとも１つの棚状突起部を有する、請求項３に記載のレンズ・アセンブリ。
【請求項１２】
前記少なくとも１つの棚状突起部は環状である、請求項３に記載のレンズ・アセンブリ。
【請求項１３】
前記レンズ・アセンブリがシート状材料から作られる、請求項１に記載のレンズ・アセンブリ。
【請求項１４】
前記アセンブリが折り曲げ可能である、請求項１３に記載のレンズ・アセンブリ。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
哺乳類細胞においてグルコース取り込みを調節する薬剤の同定方法であって、以下の工程：
哺乳類細胞を候補薬剤と接触させる工程；
該候補薬剤が細胞内へのストア介在性Ｃａ２＋流入（ＳＭＣＥ）を調節するかを決定する工程；および
該候補薬剤が細胞においてグルコース取り込みを調節するかを決定する工程；
を含む方法。
【請求項２】
該候補薬剤が細胞内へのＳＭＣＥを増大させるかを決定する工程を含む、請求項１の方法。
【請求項３】
哺乳類細胞において該候補薬剤がグルコース取り込みを増大させるかを決定する工程を含む、請求項２の方法。
【請求項４】
哺乳類細胞においてグルコース取り込みを調節する薬剤の同定方法であって、以下の工程：
候補薬剤をＳＭＣＥ調節因子と接触させる工程；
該候補薬剤がＳＭＣＥ調節因子の機能を調節するかを決定する工程；および、
該候補薬剤が哺乳類細胞においてグルコース取り込みを調節するかを決定する工程；
を含む方法。
【請求項５】
該候補薬剤がＳＭＣＥ調節因子の機能を刺激するかを決定する工程を含む、請求項４の方法。
【請求項６】
該候補薬剤が哺乳類細胞においてグルコース取り込みを増大させるかを決定する工程を含む、請求項５の方法。
【請求項７】
哺乳類細胞においてグルコース取り込みを調節する薬剤の同定方法であって、以下の工程：
哺乳類細胞を細胞内へのＳＭＣＥを調節する候補薬剤と接触させる工程；
該候補薬剤の存在下で細胞におけるグルコース取り込みを測定する工程；および
該候補薬剤が細胞でのグルコース取り込みを調節するかを決定する工程
を含み、該候補薬剤の不在下と比べて該候補薬剤の存在下で変化した細胞でのグルコース取り込みが、該候補薬剤がグルコース取り込みを調節することを示すものである方法。
【請求項８】
該候補薬剤が細胞内へのＳＭＣＥを増大させ、そのことが細胞のグルコース取り込みを増大させるものである、請求項７の方法。
【請求項９】
哺乳類細胞においてグルコース取り込みを調節するための方法であって、哺乳類細胞を、ＳＭＣＥを調節し、それによって細胞のグルコース取り込みを調節するのに有効量の薬剤と接触させることを含む方法。
【請求項１０】
該薬剤がＳＭＣＥを増大させ、それによって細胞のグルコース取り込みを増大させるものである、請求項９の方法。
【請求項１１】
細胞が骨格筋細胞である、請求項９の方法。
【請求項１２】
細胞をインスリンと接触させる工程をさらに含む、請求項９の方法。
【請求項１３】
２型糖尿病を治療するための医薬組成物であって、かかる治療を必要とする個体においてＳＭＣＥを促進し、それによって細胞のグルコース取り込みを調節するのに有効量の薬剤を含む、医薬組成物。
【請求項１４】
該薬剤の投与と同時または該薬剤の投与に続いて投与されるインスリンをさらに含む、請求項１３の医薬組成物。
【請求項１５】
個体が２型糖尿病であると診断されたものである、請求項１３の医薬組成物。
【請求項１６】
２型糖尿病を治療するための医薬組成物であって、かかる治療を必要とする個体においてＳＭＣＥを感作し、それによって細胞のグルコース取り込みを調節するのに有効な量の薬剤を含む、医薬組成物。
【請求項１７】
該薬剤の投与と同時または該薬剤の投与に続いて投与されるインスリンをさらに含む、請求項１６の医薬組成物。
【請求項１８】
個体が２型糖尿病であると診断されたものである、請求項１６の医薬組成物。
【請求項１９】
２型糖尿病の治療のための医薬の製造における、ＳＭＣＥを促進し、それによって細胞のグルコース取り込みを調節するのに有効な薬剤の使用。
【手続補正書】
【提出日】平成18年9月14日(2006.9.14)
【手続補正１】
【補正対象書類名】明細書
【補正対象項目名】０００３
【補正方法】変更
【補正の内容】
【０００３】
しかし、本出願人の発明は、以前は廃棄されていた真菌物質に注目している。本出願人は、この真菌物質が相当な耐熱特性を有し、したがって耐火断熱材としておよび実際に消火剤として使用することができることを見出した。さらに、本出願人はこの真菌型物質の増殖を増大させ、それを回収するのに必要な時間を短縮する方法を開発した。
本発明に関連する先行技術文献として、栄養培地の表面に紅茶きのこを培養することを利用した、断熱性及び耐熱性を示す材料を製造する方法を提案するものがある（例えば、特許文献１参照）。
【特許文献１】国際公開第９６／２４６８０号パンフレット
【手続補正書】
【提出日】平成18年5月1日(2006.5.1)
【手続補正１】
【補正対象書類名】特許請求の範囲
【補正対象項目名】全文
【補正方法】変更
【補正の内容】
【特許請求の範囲】
【請求項１】
ハウジング（１０）と、
前記ハウジング内に配置される単一の発光ユニット（１１）と、
光導波路を備え、且つ入射開口部を有する受光ユニット（１８）と、
前記発光ユニットと、前記受光ユニットの前記入射開口部との間の全距離にわたって延在し、小開口部および大開口部を有する反射素子（２２）と、を備え、
前記小開口部は前記発光ユニットに面し、前記大開口部は前記受光ユニットに面し、
前記反射素子の傾斜角νが、関係式
ν＝０．５×（δ−α）
に従い、式中、δは光導波路内に注入される光ビームが前記発光ユニットから離れる最大放射角であり、αは前記光導波路の受光角である照射装置。
【請求項２】
前記大開口部が、前記受光ユニット（１８）の直径以下の直径を有する、請求項１に記載の照射装置。
【請求項３】
前記反射素子（２２）の小開口部が、前記発光ユニット（１１）を少なくとも部分的に包囲している、請求項１または２に記載の照射装置。
【請求項４】
前記反射素子（２２）の開口角度のサイズが、前記小開口部から前記大開口部まで連続的に、または少なくとも１つのステップで減少する、請求項１から３のいずれか一項に記載の照射装置。
【請求項５】
前記発光ユニット（１１）と前記受光ユニット（１８）との間の距離が、前記受光ユニットの直径の２分の１より大きい、請求項１から４のいずれか一項に記載の照射装置。
【請求項６】
前記反射素子（２２）の長さが、前記発光ユニット（１１）と前記受光ユニット（１８）との間の距離より大きい、請求項５に記載の照射装置。
【請求項７】
前記反射素子（２２）の大開口部が、光学的保護ガラスによって覆われている、請求項１から６のいずれか一項に記載の照射装置。
【請求項８】
前記反射素子（２２）が、内部に反射面を有する円錐台である、請求項１から７のいずれか一項に記載の照射装置。
【請求項９】
前記反射素子（２２）が、金属を含まない多層干渉反射体シートである、請求項８に記載の照射装置。
【請求項１０】
前記発光ユニット（１１）が、青色の高出力発光ダイオードであり、サイズが少なくとも０．２５ｍｍ2、好ましくは１〜５ｍｍ2である少なくとも１つの発光素子を具備し、前記ユニットが１００〜１４００ｍＷ、好ましくは２００〜８００ｍＷの照射出力を生成する、請求項１〜９のいずれか一項に記載の照射装置。
【請求項１１】
前記発光ユニット（１１）が、前記ハウジング（１０）に熱接続されている、請求項１から１０のいずれか一項に記載の照射装置。
【請求項１２】
前記発光ユニット（１１）が、高い熱伝導性を有する平面保持板（１９）に取り付けられている、請求項１から１１のいずれか一項に記載の照射装置。
【請求項１３】
前記受光ユニット（１８）が、剛性光導波路ロッドまたは可撓性光導波路から選択される、請求項１から１２のいずれか一項に記載の照射装置。
【請求項１４】
ハウジング（１０）と、
前記ハウジングに配置される単一発光ユニット（１１）と、
入射開口部を備える受光ユニット（１８）と、
前記発光ユニットと、前記受光ユニットの入射開口部との間の全距離にわたって延在し、小開口部および大開口部を有する反射素子（２２）と、を備え、
前記小開口部は前記発光ユニットに対向し、前記大開口部は前記受光ユニットに対向し、
前記反射素子は、前記発光ユニットからの放射角が前記受光ユニットの受光角より大きい光ビームのみを、前記受光ユニットへの所望の入射角範囲に選択的に偏光し、他の光ビームには影響を及ぼさない、照射装置。
【手続補正２】
【補正対象書類名】図面
【補正対象項目名】図２
【補正方法】変更
【補正の内容】
【図２】
2005530533.tif 000001
【手続補正３】
【補正対象書類名】図面
【補正対象項目名】図３
【補正方法】変更
【補正の内容】
【図３】
2005530533.tif 000002
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
乾燥エマルジョンの粒子からなる芳香剤組成物であって、前記粒子が、ポリマー界面活性材料のマトリックスからなり、この中に芳香含有油の液体小滴が分散されている、前記芳香剤組成物。
【請求項２】
ポリマー界面活性剤が、以下のもの
Ｉ）ポリビニル化合物、例えばポリ（酢酸ビニル）、ポリ（ビニルアルコール）またはポリ（ビニルピロリドン）；ポリカルボン酸、例えばポリ（アクリル酸）およびポリ（メタクリル酸）；ポリスルホン酸、例えばポリ（スチレンスルホン酸）；ポリエステル、例えばグリコールポリアクリレート；ポリアミド、例えばポリ（アクリルアミド）；ポリウレタン、例えばイオン性基、例えばカルボン酸、スルホン酸もしくは第三アミンを含むポリウレタン；または非イオン性親水性基、例えばエチレンオキシドを含むポリウレタン；ポリ（エチレンオキシド）、ポリ（プロピレンオキシド）およびポリアルキレングリコール誘導体から選択されたホモポリマー；
ＩＩ）重縮合物、例えばエトキシル化フェノール、ホルムアルデヒド樹脂、スルホン化芳香族ホルムアルデヒド樹脂、尿素またはメラミン、ホルムアルデヒド化合物、ポリアミド、ポリアミンおよびエピクロルヒドリン樹脂；
ＩＩＩ）スチレンコポリマー、例えばスチレン−アクリル酸ポリマーまたはスチレン−エチレンオキシドポリマー、ポリビニルおよびマレイン酸化合物のコポリマー、例えばスチレン、無水マレイン酸ポリマーまたは酢酸ビニル、マレイン酸エステルポリマー、ポリビニル−ポリアルキレンコポリマー、例えば酢酸ビニル−エチレンポリマー、エチレン−アクリル酸−アクリル酸エステルポリマーまたはエチレン−アクリル酸−アクリロニトリルポリマー、ビニルコポリマー、例えば酢酸ビニルポリマー、アクリル酸−アクリロニトリルポリマー、アクリル酸−アクリルアミドポリマーから選択された、Ａが比較的水溶性が高く、または水膨潤性が高い部分であり、Ｂが比較的水溶性が低く、または水膨潤性が低い部分である、ＡＢコポリマー；
ＩＶ）「Ａ」が、水溶性または水膨潤性部分、例えばポリ（エチレンオキシド）、ポリ（ビニルアルコール）、ポリ（アクリルアミド）、ポリ（アクリル酸）、ポリ（ビニルピロリドン）またはポリ（カプロラクトン）であり；および「Ｂ」が、比較的水溶性が低い、またはいくらか水に難溶である部分、例えばポリ（プロピレンオキシド）、ポリ（酢酸ビニル）、ポリ（ビニルブチラール）、ポリ（ラウリルメタクリレート）、ポリスチレン、ポリ（ヒドロキシステアリン酸）、ポリシロキサンであるポリマーから選択された、ＡＢＡブロックコポリマー、
Ｖ）「Ａ」が、水溶性または水膨潤性部分、例えばビニルアルコール、酢酸ビニル、エチレンオキシド、プロピレンオキシド、ビニルスルホネート、アクリル酸およびビニルアミンから選択され、「Ｂ」が、ビニルポリマー鎖またはシロキサン鎖から選択された、Ｂ（Ａ）ｎグラフトまたは櫛形ポリマー、
ＶＩ）天然のポリマー乳化剤、例えばセルロース誘導体、例えばカルボキシメチルセルロース、ヒドロキシプロピルメチルセルロース、メチルセルロースおよび他の誘導体
からなる群から選択された、請求項１に記載の芳香剤組成物。
【請求項３】
芳香物質をカプセル封入する方法であって、芳香物質を含む油相を、本質的に水および上記ポリマー界面活性剤からなる連続相中に分散させるかまたは乳化させる工程と、その後エマルジョンを噴霧乾燥して、水を除去する工程とを含む、前記方法。
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
配列CAGCAGCAGAGTCTTCATCAT；配列番号４のオリゴヌクレオチドからなる化合物であって、オリゴヌクレオチドは全体にホスホロチオエート骨格を有し、ヌクレオチド１〜４と１８〜２１の糖残基は２’−Ｏ−メトキシエチル修飾を有し、残りのヌクレオチド（ヌクレオチド５〜１７）は２’−デオキシヌクレオチドであり、ヌクレオチド１、４および１９のシトシンは５−メチルシトシンである上記化合物。
【請求項２】
前立腺腫瘍細胞のアンドロゲン非依存性状態への進行を遅らせるための医薬組成物であって、有効成分として、腫瘍細胞によるＴＲＰＭ−２の発現を阻害するアンチセンスオリゴヌクレオチドを含有し、該アンチセンスオリゴヌクレオチドは配列番号４の配列を有し、オリゴヌクレオチドは全体にホスホロチオエート骨格を有し、ヌクレオチド１〜４と１８〜２１の糖残基は２’−Ｏ−メトキシエチル修飾を有し、残りのヌクレオチド（ヌクレオチド５〜１７）は２’−デオキシヌクレオチドであり、ヌクレオチド１、４および１９のシトシンは５−メチルシトシンである上記医薬組成物。
【請求項３】
前立腺癌に罹っている個体でアンドロゲン離脱を開始して前立腺腫瘍細胞のアポトーシス性細胞死滅を誘導された個体の前立腺癌を治療するための医薬組成物であって、有効成分として、腫瘍細胞によるＴＲＰＭ−２の発現を阻害するのに有効であって、こうして個体の前立腺腫瘍細胞がアンドロゲン非依存性状態に進行するのを遅らせる組成物を含有し、該組成物はアンチセンスオリゴヌクレオチドであり、アンチセンスオリゴヌクレオチドは配列番号４の配列を有し、オリゴヌクレオチドは全体にホスホロチオエート骨格を有し、ヌクレオチド１〜４と１８〜２１の糖残基は２’−Ｏ−メトキシエチル修飾を有し、残りのヌクレオチド（ヌクレオチド５〜１７）は２’−デオキシヌクレオチドであり、ヌクレオチド１、４および１９のシトシンは５−メチルシトシンである上記医薬組成物。
【請求項４】
化学療法剤をさらに含む、請求項３の医薬組成物。
【請求項５】
化学療法剤はタキサンまたはミトキサントロンである、請求項４の医薬組成物。
【請求項６】
ＴＲＰＭ−２以外の抗アポトーシスタンパク質の発現を阻害する第２のアンチセンスオリゴヌクレオチドをさらに含む、請求項３の医薬組成物。
【請求項７】
第２のアンチセンスオリゴヌクレオチドはアンチセンスＢｃｌ−２オリゴヌクレオチドである、請求項６の医薬組成物。
【請求項８】
化学療法剤をさらに含む、請求項６の医薬組成物。
【請求項９】
化学療法剤はタキサンまたはミトキサントロンである、請求項８の医薬組成物。
【請求項１０】
同じ種類の正常組織とは異なる量でＴＲＰＭ−２を発現する癌に罹った個体の癌細胞の化学感受性または放射線感受性を増強するための医薬組成物であって、有効成分として、ＴＲＰＭ−２の発現を阻害するのに有効な組成物を含有し、該組成物はアンチセンスオリゴヌクレオチドであり、アンチセンスオリゴヌクレオチドは配列番号４の配列を有し、オリゴヌクレオチドは全体にホスホロチオエート骨格を有し、ヌクレオチド１〜４と１８〜２１の糖残基は２’−Ｏ−メトキシエチル修飾を有し、残りのヌクレオチド（ヌクレオチド５〜１７）は２’−デオキシヌクレオチドであり、ヌクレオチド１、４および１９のシトシンは５−メチルシトシンである上記医薬組成物。
【請求項１１】
個体が罹っている癌は腎細胞癌と前立腺癌よりなる群から選択される、請求項１０の医薬組成物。
【請求項１２】
癌細胞によるＴＲＰＭ−２の発現を阻害するのに有効な組成物は、化学療法または放射線療法で細胞を処理する前に投与される、請求項１０の医薬組成物。
【請求項１３】
癌細胞によるＴＲＰＭ−２の発現を阻害するのに有効な組成物は、化学療法または放射線療法で細胞を処理する間投与される、請求項１０の医薬組成物。
【請求項１４】
癌細胞によるＴＲＰＭ−２の発現を阻害するのに有効な組成物が投与される期間内の２回の間に、細胞が化学療法剤で処理される、請求項１２の医薬組成物。
【請求項１５】
生きた前立腺腫瘍細胞がアンドロゲン感受性である状態から、生きた腫瘍細胞がアンドロゲン非依存性である状態への、前立腺腫瘍細胞の集団の進行を遅らせるための医薬組成物であって、有効成分として、アンドロゲン感受性前立腺腫瘍細胞の集団を腫瘍細胞によるＴＲＰＭ−２の発現を阻害するアンチセンスオリゴヌクレオチドを含有し、該アンチセンスオリゴヌクレオチドは配列番号４の配列を有し、オリゴヌクレオチドは全体にホスホロチオエート骨格を有し、ヌクレオチド１〜４と１８〜２１の糖残基は２’−Ｏ−メトキシエチル修飾を有し、残りのヌクレオチド（ヌクレオチド５〜１７）は２’−デオキシヌクレオチドであり、ヌクレオチド１、４および１９のシトシンは５−メチルシトシンである上記医薬組成物。
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
精製ワクチンであって、該ワクチンは以下：
（ａ）第２のポリペプチドに作動可能に連結された第１のポリペプチドを含むアジュバントポリペプチドであって、該第１のポリペプチドは、ムチンポリペプチドであり、α１，３ガラクトシルトランスフェラーゼによりグリコシル化され、該第２のポリペプチドは、免疫グロブリンポリペプチドの少なくとも１つの領域を含む、アジュバントポリペプチド、ならびに
（ｂ）抗原、
を含む、精製ワクチン。
【請求項２】
請求項１に記載のワクチンであって、前記アジュバントポリペプチドは、前記抗原に作動可能に連結される、ワクチン。
【請求項３】
請求項１に記載のワクチンであって、前記アジュバントポリペプチドは、前記抗原に共有結合されている、ワクチン。
【請求項４】
請求項１に記載のワクチンであって、前記第１のポリペプチドは、ＰＳＧＬ−１、ＭＵＣ１、ＭＵＣ２、ＭＵＣ３、ＭＵＣ４、ＭＵＣ５ａ、ＭＵＣ５ｂ、ＭＵＣ５ｃ、ＭＵＣ６、ＭＵＣ１１、ＭＵＣ１２、ＣＤ３４、ＣＤ４３、ＣＤ４５、ＣＤ９６、ＧｌｙＣＡＭ−１、ＭＡｄＣＡＭ、またはそれらのフラグメントからなる群より選択される、ワクチン。
【請求項５】
請求項１に記載のワクチンであって、前記第１のポリペプチドは、Ｐ−セレクチン糖タンパク質リガンド−１の少なくとも１つの領域を含む、ワクチン。
【請求項６】
請求項１に記載のワクチンであって、前記第１のポリペプチドは、Ｐ−セレクチン糖タンパク質リガンド−１の細胞外部分を含む、ワクチン。
【請求項７】
請求項１に記載のワクチンであって、前記第１のポリペプチドは、ヒトＰ−セレクチン糖タンパク質リガンド−１のアミノ酸１９〜３１９を含む、ワクチン。
【請求項８】
請求項１に記載のワクチンであって、前記第１のポリペプチドは、複数のＧａｌα１，Ｇａｌエピトープを含む、ワクチン。
【請求項９】
請求項６に記載のワクチンであって、前記第１のポリペプチドは、野生型Ｐ−セレクチン糖タンパク質リガンド−１ポリペプチドより多くのＧａｌα１，３Ｇａｌエピトープを含む、ワクチン。
【請求項１０】
請求項６に記載のワクチンであって、前記第１のポリペプチドは、野生型Ｐ−セレクチン糖タンパク質リガンド−１ポリペプチドより２倍多くのＧａｌα１，３Ｇａｌエピトープを含む、ワクチン。
【請求項１１】
請求項６に記載のワクチンであって、前記第１のポリペプチドは、野生型Ｐ−セレクチン糖タンパク質リガンド−１ポリペプチドより３倍多くのＧａｌα１，３Ｇａｌエピトープを含む、ワクチン。
【請求項１２】
請求項１に記載のワクチンであって、前記第２のポリペプチドは、重鎖免疫グロブリンポリペプチドの領域を含む、ワクチン。
【請求項１３】
請求項１に記載のワクチンであって、前記第２のポリペプチドは、免疫グロブリン重鎖の
Ｆｃ領域を含む、ワクチン。
【請求項１４】
請求項１に記載のワクチンであって、前記アジュバントポリペプチドは、二量体である、ワクチン。
【請求項１５】
請求項１に記載のワクチンであって、前記抗原は、Ｃ型肝炎、ＨＩＶ、Ｂ型肝炎、パピローマウイルス、マラリア、結核、単純ヘルペスウイルス、クラミジア、およびインフルエンザ、またはこれらの生物学的成分からなる群より選択される、ワクチン。
【請求項１６】
請求項１に記載のワクチンであって、前記抗原は、腫瘍関連抗原である、ワクチン。
【請求項１７】
請求項１６に記載のワクチンであって、前記腫瘍関連抗原は、乳房、肺、結腸、前立腺、膵臓、頸部および黒色腫の腫瘍関連抗原からなる群より選択される、ワクチン。
【請求項１８】
請求項２に記載のワクチンをコードする、単離された核酸。
【請求項１９】
請求項１８に記載の核酸を含む、ベクター。
【請求項２０】
請求項１９に記載のベクターを含む、細胞。
【請求項２１】
アジュバント化合物をさらに含む、請求項１に記載のワクチン。
【請求項２２】
癌を発症させる危険性のあるヒト被験体において免疫するための組成物であって、該組成物は、請求項１に記載のワクチン含む、組成物。
【請求項２３】
癌に罹患した被験体における癌の症状を防止または改善するための組成物であって、該組成物は、有効用量の請求項１に記載のワクチンを含む、組成物。
【請求項２４】
請求項２３に記載の組成物であって、前記癌は、乳房、肺、結腸、前立腺、膵臓、頸部および黒色腫からなる群より選択される、組成物。
【請求項２５】
細胞における抗体分泌を増大させる方法であって、該方法は、該細胞と精製ワクチンとを接触させる工程を包含し、該ワクチンは、以下：
（ａ）  第２のポリペプチドに作動可能に連結された第１のポリペプチドを含むアジュバントポリペプチドであって、ここで該第１のポリペプチドは、ムチンポリペプチドであり、α１，３ガラクトシルトランスフェラーゼによりグリコシル化され、該第２のポリペプチドは、免疫グロブリンポリペプチドの少なくとも１つの領域を含む、アジュバントポリペプチド、ならびに
（ｂ）抗原、
を含み、その結果、該細胞における該抗体分泌が増大される、精製ワクチンである、方法。
【請求項２６】
請求項２５に記載の方法であって、前記細胞は、Ｂ細胞およびＴ細胞からなる群より選択される、方法。
【請求項２７】
免疫細胞活性化を増す方法であって、該方法は、該免疫細胞と精製ワクチンとを接触させる工程を包含し、該ワクチンは、以下：
（ａ）第２のポリペプチドに作動可能に連結された第１のポリペプチドを含むアジュバントポリペプチドであって、該第１のポリペプチドは、ムチンポリペプチドであり、α１，３ガラクトシルトランスフェラーゼによりグリコシル化され、該第２のポリペプチドは、免疫グロブリンポリペプチドの少なくとも１つの領域を含む、アジュバントポリペプチド、ならびに
（ｂ）抗原、
を含み、その結果、該細胞の活性化が増大される、精製ワクチンである、方法。
【請求項２８】
請求項２７に記載の方法であって、前記細胞は、Ｂ細胞およびＴ細胞からなる群より選択される、方法。
【請求項２９】
癌を発症させる危険性のあるヒト被験体における免疫のための医薬の製造のための請求項１に記載のワクチンの使用。
【請求項３０】
癌に罹患した被験体における癌の症状を防止または改善するための医薬の製造における有効用量の請求項１に記載のワクチンの使用。
【請求項３１】
請求項３０に記載の使用であって、前記癌は、乳房、肺、結腸、前立腺、膵臓、頸部および黒色腫からなる群より選択される、使用。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
テレビジョン番組関連情報を視聴者に供給する方法であって、
テレビジョンにより、埋込みコンテンツ情報を有するオーディオ／ビジュアル信号を受信する段階と、
前記埋込みコンテンツ情報を抽出する段階と、
前記視聴者への表示のために、前記埋込みコンテンツ情報をフォーマット化する段階と、
前記視聴者が、現在のテレビジョンチャネルを別のテレビジョンチャンネルに変えるときに、前記フォーマット化されたコンテンツ情報を前記視聴者に自動表示する段階と、
を有する方法。
【請求項２】
前記フォーマット化されたコンテンツ情報は、自動番組表示（ＡＰＤ）ウィンドウに表示される請求項１記載の方法。
【請求項３】
前記埋込みコンテンツ情報は、現在の番組情報、将来の番組情報、現在の番組の長さ、現在の番組の始まりからの経過時間、番組タイトル、コンテンツアドバイザリ、番組解説、ネットワーク／コンテンツプロバイダ名、局ＩＤ、日時、全国天気予報サービス、又は番組タイプのうちの少なくとも１つを有する請求項２記載の方法。
【請求項４】
前記埋込みコンテンツ情報は、前記視聴者によって選択されるフォーマットに従ってフォーマット化される請求項２記載の方法。
【請求項５】
前記テレビジョン内に格納されたオーディオ／ビジュアル番組に関連する情報を自動更新する段階を更に有する請求項１記載の方法。
【請求項６】
前記更新される情報は、日時である請求項５記載の方法。
【請求項７】
前記更新される情報は、ネットワーク名といったコンテンツプロバイダ情報である請求項５記載の方法。
【請求項８】
データ捕捉モジュールを用いて、前記オーディオ／ビジュアル信号から前記埋込みコンテンツ情報を抽出する段階を更に有する請求項１記載の方法。
【請求項９】
視聴されるテレビジョン番組について格付けタイプの情報を記録する段階を更に有する請求項１記載の方法。
【請求項１０】
前記記録された格付けタイプの情報を、遠隔ネットワーク接続を介して、コンテンツプロバイダに供給する段階を更に有する請求項９記載の方法。
【請求項１１】
テレビジョン番組関連情報を視聴者に供給するシステムであって、
埋込みコンテンツ情報を有するオーディオ／ビジュアル信号を受信可能なテレビ受像機と、
前記埋込みコンテンツ情報を抽出するよう構成されるデータ捕捉回路と、
前記視聴者への表示のために、前記埋込みコンテンツ情報をフォーマット化するよう構成されるコントローラと、
を有し、
前記視聴者が、現在のテレビジョンチャネルを別のテレビジョンチャネルに変えるときに、前記コントローラは、前記フォーマット化されたコンテンツ情報を前記視聴者に自動表示するシステム。
【請求項１２】
前記データ捕捉モジュールは、クローズドキャプションシステムの一部を形成する請求項１１記載のシステム。
【請求項１３】
前記オーディオ／ビジュアル信号は、テレビジョン番組であり、
前記埋込みコンテンツ情報は、垂直帰線消去期間の線２１から抽出される拡張データサービス（ＥＤＳ）パケットである請求項１２記載のシステム。
【請求項１４】
前記データ捕捉モジュールは、テレテキストシステムの一部を形成する請求項１１記載のシステム。
【請求項１５】
垂直帰線消去期間に挿入される番組関連データを有するテレビジョン信号を受信する手段と、
前記番組関連データを抽出する手段と、
表示のために、前記抽出した番組関連データをフォーマット化する手段と、
現在のチャンネルが変更したか否かを判断する手段と、
前記判断手段が、前記現在のチャネルが変更したことを示すときに、前記フォーマット化された抽出した番組関連データを自動表示する手段と、
を有する受信機。
【請求項１６】
前記フォーマット化された番組関連データは、半透明形式で表示される請求項１５記載の受信機。
【請求項１７】
前記番組関連データは、現在の番組情報、将来の番組情報、現在の番組の長さ、現在の番組の始まりからの経過時間、番組タイトル、コンテンツアドバイザリ、番組解説、ネットワーク／コンテンツプロバイダ名、局ＩＤ、日時、全国天気予報サービス、又は番組タイプのうちの少なくとも１つを有する請求項１５記載の受信機。
【請求項１８】
オンスクリーンディスプレイ（ＯＳＤ）メニュ及び遠隔制御ユニットを用いて、視聴者の嗜好に応じて表示されるべき情報のフォーマット及び量をカスタマイズする手段を更に有する請求項１５記載の受信機。
【手続補正書】
【提出日】平成18年5月26日(2006.5.26)
【手続補正１】
【補正対象書類名】明細書
【補正対象項目名】請求項９
【補正方法】変更
【補正の内容】
【請求項９】
非定常エコーのみがキャンセルされることを可能にする信号を生成することを特徴とする請求項８に記載の方法。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
任意のデータをホスト信号内に埋め込む方法であって、
所与の埋込レートと歪みとを有する予め決められたデータ埋込方法を用いて、複合信号を生成する工程と、
前記埋込レートの一部を用いて、前記複合信号上に調整された前記ホスト信号を特定する修復用データを収容する工程と、
残りの前記埋込レートを用いて、前記任意のデータを埋め込む工程とを含むことを特徴とする方法。
【請求項２】
前記ホスト信号を、連続したセグメントに分割する工程と、
該セグメントに、前記予め決められたデータ埋込方法を適用する工程と、
セグメント内に、先行のセグメントについての前記修復用データを収容する工程とを含んでいることを特徴とする請求項１記載の方法。
【請求項３】
各セグメントが、任意のデータに加えて、前記先行のセグメントについての前記修復用データを含んでいることを特徴とする請求項２記載の方法。
【請求項４】
（ａ）所与の長さのセグメント内にのみ、任意のデータを収容する工程と、
（ｂ）後続のセグメント内に、前記先行のセグメントについてのみの修復用データを収容する工程と、
（ｃ）前記後続のセグメントの長さを、該後続のセグメントに埋め込まれている前記修復用データの量に適合させる工程と、
（ｄ）前記工程（ｂ）および前記工程（ｃ）を、予め決められた回数繰り返す工程とを含んでいることを特徴とする請求項２記載の方法。
【請求項５】
前記工程（ｄ）が、前記後続のセグメントの前記長さが予め決められた閾値未満となるまで、前記工程（ｂ）および前記工程（ｃ）を繰り返す処理を含むことを特徴とする請求項４記載の方法。
【請求項６】
任意のデータをホスト信号内に埋め込む装置であって、
埋込データを伴う複合信号を生成するために、所与の埋込レートと歪みとを有する予め決められたデータ埋込部と、
前記複合信号上に調整された前記ホスト信号を特定する修復用データを生成する手段と、
前記埋込データの一部に前記修復用データを収容し、前記埋込データの残りの部分に前記任意のデータを収容する手段とを含むことを特徴とする装置。
【請求項７】
埋込データが埋め込まれた、ホスト信号が歪ませられた信号を表す複合信号から、該ホスト信号を復元する方法であって、
前記複合信号から、前記埋込データを取り出す工程と、
前記埋込データを、修復用データと任意のデータとに分離する工程と、
前記複合信号を受けて、前記修復用データを用いて前記ホスト信号を復元する工程とを含むことを特徴とする方法。
【請求項８】
前記複合信号を、連続したセグメントに分割する工程と、
セグメント内に収容されている前記修復用データを用いて、前記ホスト信号の先行のセグメントを復元する工程とを含んでいることを特徴とする請求項７記載の方法。
【請求項９】
前記複合信号の各セグメントが、任意のデータに加えて、前記ホスト信号の前記先行のセグメントについての前記修復用データを含んでいることを特徴とする請求項８記載の方法。
【請求項１０】
埋込データが埋め込まれた、ホスト信号が歪ませられた信号を表す複合信号から、該ホスト信号を復元する装置であって、
前記複合信号から、前記埋込データを取り出す手段と、
前記埋込データを、修復用データと任意のデータとに分離する分離手段と、
前記複合信号を受けて、前記修復用データを用いて前記ホスト信号を復元する復元手段とを含むことを特徴とする装置。